(57)【要約】【課題】一撮影で感度が異なる複数の適正露出画像を得ること。【解決手段】カメラ１は、第１感度に設定される第１画素群、および第１感度より低い第２感度に設定される第２画素群を有し、第１画素群および第２画素群をそれぞれ用いて被写体像を撮像する蓄積型の撮像素子１２と、第１画素群および第２画素群からの出力信号レベルをそれぞれ適正範囲内とするように第１画素群に対する第１蓄積時間および第２画素群に対する第２蓄積時間をそれぞれ制御する蓄積制御手段２０，１５と、第１画素群からの出力信号に基づく第１画像と、第２画素群からの出力信号に基づく第２画像とをそれぞれ生成する画像生成手段１４とを備える。【選択図】図１
2011217317.tif 000002
【特許請求の範囲】
【請求項１】
第１感度に設定される第１画素群、および前記第１感度より低い第２感度に設定される第２画素群を有し、前記第１画素群および前記第２画素群をそれぞれ用いて被写体像を撮像する蓄積型の撮像素子と、
前記第１画素群および前記第２画素群からの出力信号レベルをそれぞれ適正範囲内とするように前記第１画素群に対する第１蓄積時間および前記第２画素群に対する第２蓄積時間をそれぞれ制御する蓄積制御手段と、
前記第１画素群からの出力信号に基づく第１画像と、前記第２画素群からの出力信号に基づく第２画像とをそれぞれ生成する画像生成手段と、
を備えることを特徴とするカメラ。
【請求項２】
請求項１に記載のカメラにおいて、
前記蓄積制御手段は、（第１蓄積時間）:（第２蓄積時間）＝（第２感度）:（第１感度）を成立させるように蓄積時間を制御することを特徴とするカメラ。
【請求項３】
請求項２に記載のカメラにおいて、
前記第１画像および前記第２画像の少なくとも一方の画像を記憶媒体に保存させる保存手段と、
操作部材からの信号が示す画像を保存するように前記保存手段を制御する保存制御手段と、
をさらに備えることを特徴とするカメラ。
【請求項４】
請求項３に記載のカメラにおいて、
カメラの振れを検出する振れ検出手段と、
前記第１画素群の感度を増減させる感度制御手段とをさらに備え、
前記振れ検出手段によって検出された振れが所定値以上の場合、前記感度制御手段は前記第１画素群の感度を前記第１感度から第３感度へ増加させるとともに、前記蓄積制御手段は（第１蓄積時間）:（第２蓄積時間）＝（第２感度）:（第３感度）を成立させるように前記第１画素群の第１蓄積時間を減少させることを特徴とするカメラ。
【発明の詳細な説明】
【技術分野】
【０００１】
本発明は、カメラに関する。
【背景技術】
【０００２】
低感度画素と、低感度画素より高感度の高感度画素とをそれぞれ有するイメージセンサを備え、感度が異なるそれぞれの画素で蓄積信号を得る技術が知られている（特許文献１参照）。
【先行技術文献】
【特許文献】
【０００３】
【特許文献１】特開２００７−２１４８３２号公報
【発明の概要】
【発明が解決しようとする課題】
【０００４】
従来技術では、広ダイナミックレンジの画像を得るための合成用に感度が異なる画像を得ていたため、各画像を単独で保存することが考慮されていなかった。
【課題を解決するための手段】
【０００５】
本発明によるカメラは、第１感度に設定される第１画素群、および第１感度より低い第２感度に設定される第２画素群を有し、第１画素群および第２画素群をそれぞれ用いて被写体像を撮像する蓄積型の撮像素子と、第１画素群および第２画素群からの出力信号レベルをそれぞれ適正範囲内とするように第１画素群に対する第１蓄積時間および第２画素群に対する第２蓄積時間をそれぞれ制御する蓄積制御手段と、第１画素群からの出力信号に基づく第１画像と、第２画素群からの出力信号に基づく第２画像とをそれぞれ生成する画像生成手段と、を備えることを特徴とする。
【発明の効果】
【０００６】
本発明によるカメラでは、一撮影で、撮影時の感度が異なる複数の適正露出画像が得られる。
【図面の簡単な説明】
【０００７】
【図１】本発明の一実施の形態による電子カメラの構成例を説明するブロック図である。
【図２】撮像素子の画素並びを説明する図である。
【図３】高感度画素における読出し回路の概要を説明する図である。
【図４】第１画像および第２画像から画像を選ぶ処理の流れを説明するフローチャートである。
【図５】低感度画素側の蓄積時間および高感度画素側の蓄積時間を説明する図である。
【図６】画像選択画面を例示する図である。
【図７】手振れ警告表示画面を例示する図である。
【図８】他の撮像素子の画素並びを説明する図である。
【発明を実施するための形態】
【０００８】
以下、図面を参照して本発明を実施するための形態について説明する。図１は、本発明の一実施の形態による電子カメラ１の構成例を説明するブロック図である。図１において、電子カメラ１は、撮影光学系１１と、撮像素子１２と、ＡＦＥ(Analog front end)回路１３と、画像処理回路１４と、タイミングジェネレータ(TG)１５と、ＬＣＤモニタ１７と、バッファメモリ１８と、フラッシュメモリ１９と、ＣＰＵ２０と、メモリカードインターフェース(I/F)２１と、操作部材２２と、シャッター羽根２３と、シャッター駆動機構２４とを備える。
【０００９】
ＣＰＵ２０、バッファメモリ１８、フラッシュメモリ１９、メモリカードインターフェース２１、画像処理回路１４、およびＬＣＤモニタ１７は、それぞれがバス１６を介して接続されている。
【００１０】
撮影光学系１１は、ズームレンズやフォーカシングレンズを含む複数のレンズ群で構成され、被写体像を撮像素子１２の受光面に結像させる。なお、図１を簡単にするため、撮影光学系１１を単レンズとして図示している。
【００１１】
ＴＧ１５は、ＣＰＵ２０から送出される指示に応じて所定のタイミング信号を発生し、撮像素子１２、ＡＦＥ回路１３、画像処理回路１４へそれぞれのタイミング信号を供給する。タイミング信号によって撮像素子１２等が駆動制御されることにより、撮像素子１２による撮像タイミングや撮像素子１２からのアナログ画像信号の読出しタイミングが制御される。本実施形態では、撮像素子１２が備える高感度画素および低感度画素間で蓄積時間を異ならせる駆動制御を行う。詳細については後述する。
【００１２】
撮像素子１２は、撮影光学系１１を通過した光束による被写体像を光電変換してアナログ画像信号を生成する。アナログ画像信号は、ＡＦＥ回路１３に入力される。本実施形態の撮像素子１２は、たとえば、画素に対応させて複数の電荷蓄積型の光電変換素子を備えたＣＭＯＳイメージセンサによって構成される。撮像素子１２は電子シャッター機能を有しており、いわゆるリセット信号によって光電変換後の蓄積信号の蓄積時間を制御可能に構成されている。
【００１３】
ＡＦＥ回路１３は、アナログ画像信号に対して相関二重サンプリングやゲイン調整などのアナログ処理を行うとともに、アナログ処理後の画像信号をデジタル画像データに変換する。デジタル画像データは画像処理回路１４に入力される。画像処理回路１４は、デジタル画像データに対して各種の画像処理（画素補間処理、階調変換処理、輪郭強調処理、ホワイトバランス調整処理、画像圧縮処理、画像伸張処理など）を施す。
【００１４】
ＬＣＤモニタ１７は液晶パネルによって構成され、ＣＰＵ２０からの指示に応じて画像や操作メニュー画面などを表示する。ＬＣＤモニタ１７の表示面上にはタッチ操作部材（不図示）が積層されている。タッチ操作部材は、ユーザーによってタッチ操作された場合に操作部材上（すなわち液晶モニタ１７の表示画面上）のタッチ位置を示す信号を発生し、ＣＰＵ２０へ送出する。
【００１５】
バッファメモリ１８は、画像処理回路１４によって画像処理される前、画像処理中、画像処理された後のデジタル画像データを一時的に記憶する。フラッシュメモリ１９は、ＣＰＵ２０に実行させるプログラムを記憶する。
【００１６】
ＣＰＵ２０は、フラッシュメモリ１９が記憶するプログラムを実行することによって電子カメラ１が行う動作を制御する。ＣＰＵ２０は、ＡＦ（オートフォーカス）動作制御や、自動露出（ＡＥ）演算も行う。ＡＦ動作は、たとえば、ライブビュー画像のコントラスト情報に基づいてフォーカシングレンズ（不図示）の合焦位置を求めるコントラスト検出方式を用いる。ライブビュー画像は、撮影指示前に撮像素子１２によって所定の時間間隔（たとえば６０フレーム／毎秒＝６０fps）で繰り返し取得されるモニタ用画像のことをいう。ライブビュー画像はスルー画像とも呼ばれる。
【００１７】
メモリカードインターフェース２１はコネクタ（不図示）を有し、該コネクタにメモリカードなどの記憶媒体５１が接続される。メモリカードインターフェース２１は、接続された記憶媒体５１に対するデータの書き込みや、記憶媒体５１からのデータの読込みを行う。記憶媒体５１は、半導体メモリを内蔵したメモリカード、またはハードディスクドライブなどで構成される。
【００１８】
操作部材２２は、レリーズボタンやズームスイッチ、モード切替およびメニュースイッチなどを含む。操作部材２２は、撮影操作やズーム操作、メニュー選択操作など、各操作に応じた操作信号をＣＰＵ２０へ送出する。
【００１９】
シャッター羽根２３は、撮影時に撮影光学系からの光束を通過させ、非撮影時に上記光束を遮光する。シャッター駆動機構２４は、ＣＰＵ２０からの指示に応じてシャッター羽根２３を開駆動／閉駆動する。振れセンサ２５は、たとえば加速度センサによって構成される。振れセンサ２５はピッチ方向およびヨー方向に生じた加速度を検出し、検出信号をＣＰＵ２０へ送出する。
【００２０】
図２は、撮像素子１２の画素並びを説明する図である。上述したように、撮像素子１２は高感度画素および低感度画素を有する。本実施形態では、光電変換部の開口面積が大きい高感度画素と、光電変換部の開口面積が高感度画素に比べて小さい低感度画素とがペアで撮像面に配設される。一般に、開口面積を広くすると光電変換部へ導かれる光量が増えるので、感度が高まるといえる。図２において、高感度画素を構成する光電変換部には、ベイヤー配列されたＧ色、Ｂ色、Ｒ色のうちいずれか１色の色フィルタが形成される。低感度画素を構成する光電変換部には、ベイヤー配列されたｇ色、ｂ色、ｒ色のうちいずれか１色の色フィルタが形成される。なお、Ｇとｇ、Ｂとｂ、Ｒとｒは、それぞれ共通の色成分の光を透過する。
【００２１】
高感度画素と低感度画素は、上記開口面積の差によってＩＳＯ感度に換算して所定倍（たとえば３倍）相当の感度差を有する。なお、画素間で開口面積に差を設けることによって感度差を生じさせる代わりに、開口面積を略同一とした画素間で異なるフィルタを設け、該フィルタによる入射光の透過率に差を設けることによって感度差を生じさせる構成にしてもよい。
【００２２】
高感度画素側の感度は、さらに２段階に切替え可能に構成される。具体的には、上述したＦＤ部における検出感度を変更することによって切替えを行う。図３は、高感度画素における読出し回路の概要を説明する図である。図３において、光電変換部４１が受光すると蓄積信号が生成される。ＴＧ１５からのタイミング信号によって転送トランジスタ４２がオンすると、蓄積電荷が光電変換部４１からＦＤ部（コンデンサ４５、コンデンサ４６および感度切替トランジスタ４４）へ転送される。
【００２３】
ＦＤ部の検出感度は、ＴＧ１５からのタイミング信号によって高感度状態（感度切替トランジスタ４４がオフ）と低感度状態（感度切替トランジスタ４４がオン）とが切替わる。高感度状態の場合は、光電変換部４１から転送された蓄積電荷Ｑが検出コンデンサ４５（容量Ｃ１）のみに送られ、検出電圧はＶ＝Ｑ／Ｃ１となる。
【００２４】
一方、低感度状態の場合は、検出コンデンサ４５（容量Ｃ１）および検出コンデンサ４６（容量Ｃ２）が並列接続されるので、光電変換部４１から転送された蓄積電荷Ｑが、並列の検出コンデンサ４５および検出コンデンサ４６へ送られる。この場合の検出電圧はＶ＝Ｑ／(Ｃ１＋Ｃ２)となる。これにより、蓄積電荷Ｑが同じであっても高感度状態と低感度状態とで異なる検出電圧Ｖが得られる（すなわち感度が切替わる）。本実施形態では、ＦＤ部の感度切替えは、ＩＳＯ感度換算で、たとえば２倍相当とする。
【００２５】
電源電圧に増幅トランジスタ４７および選択トランジスタ４８が直列に接続され、ソースフォロワ回路が形成されているので、ＴＧ１５からのタイミング信号によって選択トランジスタ４８がオンされると、上記ＦＤ部による検出電圧Ｖに応じた電流が撮像素子１２からの画素読出し信号として出力される。
【００２６】
ＴＧ１５からのタイミング信号によってリセットトランジスタ４３がオンされた場合、検出コンデンサ４５（低感度状態では検出コンデンサ４５および検出コンデンサ４６）の両端が電源電圧に接続されるので、検出電圧Ｖがリセットされる（画素リセット）。
【００２７】
なお、低感度画素についてはＦＤ部における検出感度の変更を行わないので、低感度画素における構成は、図３の構成に比べて感度切替トランジスタ４４および検出コンデンサ４６（容量Ｃ２）を省略した構成になる。
【００２８】
電子カメラ１のＩＳＯ感度設定は、低感度画素側を基準に行う。たとえば、操作部材２２からＩＳＯ感度設定を４００にする操作信号が入力された場合、ＣＰＵ２０は低感度画素側の感度をＩＳＯ４００相当にするようにＡＦＥ回路１３の増幅ゲインを調整する。上述したように、低感度画素と高感度画素との間はＩＳＯ感度換算で３倍の差を有するので、この場合の高感度画素側の感度は通常（上記ＦＤ部が低感度状態）の場合にＩＳＯ１２００相当である。そして、上記ＦＤ部を高感度状態としたときにＩＳＯ２４００相当になる。
【００２９】
本実施形態では、以上説明した電子カメラ１が備える撮像素子１２により高感度画素と低感度画素とで並行して画像を取得し、高感度画素による第１画像と低感度画素による第２画像のうち、条件に応じて適切な画像を選ぶ。
【００３０】
上記第１画像および第２画像から画像を選ぶ処理の流れについて、ＣＰＵ２０が実行する図４のフローチャートを参照して説明する。ＣＰＵ２０は、操作部材２２から画像選択モードのオンを指示する操作信号が入力されると、図４による処理を起動させる。
【００３１】
図４のステップＳ１０１において、ＣＰＵ２０はＩＳＯ感度の設定を行う。ＣＰＵ２０は、たとえば、低感度画素側の感度をＩＳＯ５０相当にするとともに、上記ＦＤ部を低感度状態にしてステップＳ１０２へ進む。
【００３２】
ステップＳ１０２において、ＣＰＵ２０はレリーズ操作（撮影指示）されたか否かを判定する。ＣＰＵ２０は、操作部材２２からレリーズ操作信号が入力されるとステップＳ１０２を肯定判定してステップＳ１０３へ進み、操作部材２２からレリーズ操作信号が入力されない場合にはステップＳ１０２を否定判定して当該判定処理を繰り返す。
【００３３】
ステップＳ１０３において、ＣＰＵ２０は、手振れを検出したか否かを判定する。ＣＰＵ２０は振れセンサ２５からの加速度検出信号に基づいて電子カメラ１の揺動（いわゆる手振れ）を検出し、検出値が所定の判定閾値を超えた場合にステップＳ１０３を肯定判定してステップＳ１０９へ進む。ＣＰＵ２０は、手振れ検出値が判定閾値以下の場合にはステップＳ１０３を否定判定してステップＳ１０４へ進む。
【００３４】
ステップＳ１０４へ進むのは手振れ判定していない場合である。この場合のＣＰＵ２０は、静止画撮影処理を行ってステップＳ１０５へ進む。具体的には、オートフォーカス調節や自動露出の演算後、高感度画素と低感度画素とで並行して撮影を行う。自動露出演算では、撮像素子１２で撮像されたライブビュー画像の信号レベルに基づいて測光処理を行い、測光処理で得た輝度情報および設定ＩＳＯ感度を用いて、撮像素子１２からの画素読出し信号レベルを適正範囲内に収めるように、適切な露出条件（本例の場合はシャッター秒時や絞り値）を設定する。
【００３５】
上述したように、ＩＳＯ感度設定は低感度画素側を基準にしているので、自動露出演算で設定するシャッター秒時は、低感度画素側のシャッター秒時（後述する蓄積時間Ａ(msec)）に対応する。高感度画素側のシャッター秒時（後述する蓄積時間Ｂ(msec)）は、蓄積時間Ａ(msec)を低感度画素と高感度画素との間の感度比率に応じて変化させる。また、設定する絞り値は低感度画素と高感度画素との間で共通である。ＣＰＵ２２は、設定後のシャッター秒時（蓄積時間）および絞り値を適用して記録用の本撮影を行う。
【００３６】
図５は、低感度画素側の蓄積時間および高感度画素側の蓄積時間を説明する図である。静止画撮影シーケンス処理が開始されると、時刻ｔ０においてシャッター羽根２３が開く。これにより、撮像素子１２の露光（蓄積動作）が低感度画素および高感度画素の双方で開始される。シャッター羽根２３が閉じる時刻ｔ３からＡ(msec)手前の時刻ｔ１において、ＣＰＵ２０は低感度画素側の全画素についてリセットトランジスタを一旦オンさせてオフへ戻す。これにより、低感度画素側に画素リセットが行われて低感度画素側の蓄積時間がＡ（msec）に制御される。
【００３７】
シャッター羽根２３が閉じる時刻ｔ３からＢ(msec)手前の時刻ｔ２において、ＣＰＵ２０は高感度画素側の全画素についてリセットトランジスタ４３を一旦オンさせてオフへ戻す。これにより、高感度画素側に画素リセットが行われて高感度画素側の蓄積時間がＢ（msec）に制御される。Ｂ(msec)は、Ａ(msec)との間でＢ＝Ａ×Ｃ／Ｄの関係を有する。ただし、Ｃは低感度画素側の感度（本例ではＩＳＯ５０相当）であり、Ｄは高感度画素側の感度（本例では３×Ｃ）である。このため、ステップＳ１０４の静止画撮影処理ではＢ＝Ａ／３が成立する。
【００３８】
ＣＰＵ２０は、シャッター羽根２３を閉鎖後に行番号０の画素から行番号ｎの画素まで順番に画素読出しを行わせる。画素リセットしてから画素読出しを行うまでの時間が行番号の大小によってが異なるが、シャッター羽根２３によって遮光することで時刻ｔ３以降の蓄積電荷の増加を抑えている。
【００３９】
図４のステップＳ１０５において、ＣＰＵ２０は、画像選択操作が行われたか否かを判定する。ＣＰＵ２０は、静止画撮影後所定時間（たとえば３秒）を経過する前に操作部材２２を構成する画像選択スイッチ（不図示）から操作信号が入力された場合、ステップＳ１０５を肯定判定してステップＳ１０６へ進む。一方、ＣＰＵ２０は、静止画撮影後所定時間を経過する前に画像選択スイッチからの操作信号が入力されない場合、ステップＳ１０５を否定判定してステップＳ１１２へ進む。ユーザは、たとえば、被写体人物が動いたと感じた場合に画像選択スイッチを操作する。
【００４０】
ステップＳ１０６において、ＣＰＵ２０は、ＬＣＤモニタ１７に画像選択画面を表示させて、記録画像を選択する操作を受け付ける。図６は、画像選択画面を例示する図である。図６において、高感度画素による第１画像と低感度画素による第２画像が並べて表示される。一般に、撮影時のシャッター秒時が短い分、第１画像の方が第２画像に比べて像ぶれが小さい可能性が高い。ユーザは、操作部材２２を操作することによって「高感度画像を記録する」か、「低感度画像を記録する」か、「どちらも記録する」のいずれかを選ぶ操作を行う。なお、操作部材２２による操作の代わりに、ＬＣＤモニタ１７の表示面上に配設されているタッチ操作部材（不図示）による操作を受け付けるようにしてもよい。
【００４１】
記録画像の選択操作信号が入力されたＣＰＵ２０はステップＳ１０７へ進み、選択操作に応じた画像のデータをメモリカードインターフェース２１に接続された記憶媒体５１に記録保存し、図４により処理を終了する。
【００４２】
ステップＳ１０５を否定判定して進むステップＳ１１２において、ＣＰＵ２０は、低感度画素による画像のデータをメモリカードインターフェース２１に接続された記憶媒体５１に記録保存し、図４により処理を終了する。ステップＳ１０５を否定判定する場合は、高感度画素による第１画像と低感度画素による第２画像のいずれも像ぶれが小さい可能性が高い。この場合はノイズが少なくＳ／Ｎ比で有利な低感度画素による第２画像を保存対象にする。
【００４３】
ステップＳ１０３を肯定判定してステップＳ１０９へ進むのは手振れ判定した場合である。ステップＳ１０９において、ＣＰＵ２０は、高感度画素側のＩＳＯ感度を２倍に上げるとともに、蓄積秒時（シャッター秒時）を１／２に短くするようにセットする。具体的には、ＦＤ部の感度切替トランジスタ４４をオフさせて検出感度を高感度状態へ切替える。これにより、高感度画素側のＩＳＯ感度が低感度画素側の感度Ｃの６倍相当（２×３×Ｃ）になる。この場合の高感度画素側の蓄積時間Ｂhi（msec）は、Ａ(msec)との間でＢhi＝Ａ×Ｃ／(２×３×Ｃ)の関係を満たすようにセットする。すなわち、静止画撮影時にシャッター羽根２３が閉じる時刻ｔ３よりＡ／６(msec)手前において高感度画素側の全画素についてリセットトランジスタを一旦オンさせてオフへ戻す。つまり、Ｂhi＝Ａ／６を成立させる。
【００４４】
ステップＳ１１０において、ＣＰＵ２０は静止画撮影処理を行ってステップＳ１１１へ進む。ステップＳ１１０における静止画撮影処理は、高感度画素側のＩＳＯ感度をステップＳ１０４の場合の２倍に制御する点、および蓄積時間Ｂhi（msec）をステップＳ１０４における蓄積時間Ｂ(msec)の１／２倍に制御する点を除き、ステップＳ１０４における静止画撮影処理と同様である。
【００４５】
ステップＳ１１１において、ＣＰＵ２０は、ＬＣＤモニタ１７に手振れ検出を知らせる警告表示をさせてステップＳ１０６へ進む。図７は、手振れ警告表示画面を例示する図である。ＣＰＵ２０は、たとえば、低感度画素による画像の再生画像に加えて、「手振れを検出しました」というメッセージを重ねて表示させる。ＣＰＵ２０は、図７の表示をたとえば３秒間継続してステップＳ１０６へ進む。ステップＳ１０６以降の処理はステップＳ１０５を肯定判定した場合と同様である。
【００４６】
以上説明した実施形態によれば、次の作用効果が得られる。
（１）電子カメラ１は、高感度に設定される第１画素群、および第１画素群より低い低感度に設定される第２画素群を有し、第１画素群および第２画素群をそれぞれ用いて被写体像を撮像する蓄積型の撮像素子１２と、第１画素群および第２画素群からの出力信号レベルをそれぞれ適正範囲内とするように第１画素群に対する第１蓄積時間(Ｂmsec)および第２画素群に対する第２蓄積時間(Ａmsec)をそれぞれ制御するＣＰＵ２０と、第１画素群からの出力信号に基づく第１画像と、第２画素群からの出力信号に基づく第２画像とをそれぞれ生成する画像処理回路１４とを備えるようにした。これにより、ブラケティング撮影とは異なり、撮影時の感度が異なる複数の適正露出画像が一撮影で得られる。
【００４７】
（２）ＣＰＵ２０は、（第１蓄積時間Ｂ）:（第２蓄積時間Ａ）＝（第２感度Ｃ）:（第１感度Ｄ）を成立させるように蓄積時間を制御するので、たとえば、第２感度Ｃについての第２蓄積時間Ａ(msec)を求める１回の露出演算を行うだけで、第１感度Ｄについての第１蓄積時間Ｂ(msec)については、２回目の露出演算をしなくても上記比率を得る簡単な計算で求めることができる。
【００４８】
（３）第１画像および第２画像の少なくとも一方の画像を記憶媒体５１に保存させるメモリカードインターフェース２１と、操作部材２２からの信号が示す画像を保存するようにメモリカードインターフェース２１を制御するＣＰＵ２０とをさらに備えたので、撮影時の感度が異なる複数の適正露出画像のうち、撮影者が希望する画像を保存させることができる。
【００４９】
（４）電子カメラ１の振れを検出する振れセンサ２５と、第１画素群の感度を増減させるＴＧ１５とをさらに備え、振れセンサ２５によって検出された振れが所定値以上の場合、ＴＧ１５は第１画素群の感度を第１感度から第３感度へ増加させるとともに、ＣＰＵ２０は（第１蓄積時間Ｂhi）:（第２蓄積時間Ａ）＝（第２感度Ｃ）:（第３感度２×Ｄ）を成立させるように第１画素群の第１蓄積時間をＢからＢhiへ減少させるようにした。これにより、カメラの揺動が検出された場合に第１感度画素側の蓄積時間ＢhiがＡ／３からＡ／６へ短縮するので、撮影画像における像ブレを抑えることができるとともに、蓄積時間を短縮した分の露出不足を感度アップで補える。
【００５０】
（変形例１）
上記の説明では、撮像素子１２の画素並びを図２を用いて説明したが、高感度画素と低感度画素とのペアは図８のように配置してもよい。高感度画素を構成する光電変換部にベイヤー配列されたＧ色、Ｂ色、Ｒ色のうちいずれか１色の色フィルタが形成される点、低感度画素を構成する光電変換部にベイヤー配列されたｇ色、ｂ色、ｒ色のうちいずれか１色の色フィルタが形成される点、および、Ｇとｇ、Ｂとｂ、Ｒとｒがそれぞれ共通の色成分の光を透過する点は、図２に例示した場合と同様である。
【００５１】
以上の説明はあくまで一例であり、上記の実施形態の構成に何ら限定されるものではない。
【符号の説明】
【００５２】
１…電子カメラ
１２…撮像素子
１３…ＡＦＥ回路
１５…ＴＧ
１７…ＬＣＤモニタ
２０…ＣＰＵ
２１…メモリカードインターフェース
２２…操作部材
２３…シャッター羽根
２５…振れセンサ
４３…リセットトランジスタ
４４…感度切替トランジスタ
４５，４６…コンデンサ
４７…増幅トランジスタ
４８…選択トランジスタ
５１…記憶媒体
【図１】
2011217317.tif 000003
【図２】
2011217317.tif 000004
【図３】
2011217317.tif 000005
【図４】
2011217317.tif 000006
【図５】
2011217317.tif 000007
【図６】
2011217317.tif 000008
【図７】
2011217317.tif 000009
【図８】
2011217317.tif 000010